(57)【特許請求の範囲】
【請求項１】
梯子支柱の下部に各々取り付けられる固定装置において、台板に打設部を有した滑り止めのきり溝のあるスパイクを上下に可動可能に配置し、このスパイクをハンマー等で打設した後に、このスパイクをロックすることを可能な構成にした固定装置であって、ロック手段として、ガイドの孔の周縁がスパイクのきり溝が食い込みやすいように薄く形成したガイドを台板に複数取付け、いずれかのガイドの近傍にアイボルトのリングの内側がスパイクのきり溝に食い込みやすい突出部を形成して成るアイボルトを配置し、これらのガイドの孔とアイボルトのリングに可動可能に配置されたスパイクを、ハンドルを回してアイボルトを引きつけスパイクのきり溝がガイドの孔の周縁に食い込んでロックすることを可能な構成にしたことを特徴とする梯子下部の固定装置。
【請求項２】
請求項１の梯子下部の固定装置において、梯子支柱に取り付けられる台板の複数個所にスライド溝を設け、スパイクを地面に打設する角度を変更可能な構成であることを特徴とする請求項第１項記載の梯子下部の固定装置。
【請求項３】
請求項１及び請求項２の固定装置に備え共に用いるめりこみ防止板であって、スパイクを地面に打設しロックした後に、このスパイクをロックすることを可能な構成であることを特徴とするめりこみ防止板。
【発明の詳細な説明】
【０００１】
【発明の属する技術分野】
本発明は、樹木等の対象物に立てかけて使用する梯子の下部の安定を強固に保つ梯子下部の固定装置に関し、より詳しくは、山間地等での樹木の、枝おとしや途中から切断する中段切り等の高所作業に好適な梯子下部の固定装置に関するものである。
【０００２】
【従来の技術】
従来、梯子は、平行な支柱間に踏ざんが複数取付けられ、各々の支柱下端に滑り止め部材を設けた端具が取り付けられ、梯子下端が滑らない安定し且つ、踏ざんが略水平状に保った状態で、対象物に立てかけて踏ざんを昇り降りするものであった。
しかるに、梯子下端を略水平状に保て得て滑ったりずれたりせずに立てかけて使用できる例えば、アスファルト路面、硬質な地面等では有効に使用できるものであった。
【０００３】
一方、このような梯子を使用して行なわれる山間地等の凹凸地面や傾斜面、或いは冬期間の凍結したような場所での、樹木に立てかけて行なわれる枝おとしや中段切り等の高所作業を行なう場合には、梯子下端がずれたり滑ったりバランスがとりづらく使用勝手が悪かった。
又、それに伴って梯子の昇り降り中の転倒や墜落事故の発生につながる危険があった。
【０００４】
【発明が解決しようとする課題】
本発明は上記のような背景に着目して為されたものであり、樹木での高所作業に好適な梯子下部の固定装置を提供することを課題とする。
【０００５】
【課題を解決するための手段】
本発明は、上記のような課題を解決するために、梯子支柱の下部に各々取り付けられる固定装置において、台板に打設部を有した滑り止めのきり溝のあるスパイクを上下に可動可能に配置し、このスパイクをハンマー等で地面に打設した後に、このスパイクをロックすることを可能な構成にした固定装置であって、ロック手段として、ガイドの孔の周縁をスパイクのきり溝が食い込みやすいように薄く形成したガイドを台板に複数取付け、いずれかのガイドの近傍にアイボルトのリングの内側がスパイクのきり溝に食い込みやすい突出部を形成して成るアイボルトを配置し、これらのガイドの孔とアイボルトのリングに可動可能に配置されたスパイクを、ハンドルを回してアイボルトを引きつけスパイクのきり溝がガイド孔周縁に食い込んでロックすることを可能な構成にしたことを特徴とするものである。
【０００６】
又、梯子支柱に取り付けられる台板の複数個所にスライド溝を設け、スパイクを地面に打設する角度を変更可能な構成にしたものである。
更に、上記固定装置に備え共に用いるめりこみ防止板であって、スパイクを地面に打設しロックした後に、このスパイクをロックすることを可能な構成のめりこみ防止板であることを特徴とする。
【０００７】
尚、以上及び以下の記述において、ここでいう「スパイク」とは、全ネジ又は部分的にきり溝を有し、先を細く成形した棒体状のものであることを意味して用いるものである。
【０００８】
【発明の実施の形態】
本発明の一実施の形態を以下、図面に基づいて説明する。
尚、本固定装置は、梯子支柱の各々に対称に取り付けられるものであり、各々が同一な作用をするものであるから、一方の梯子に取り付けられる本固定装置を説明して重複する他方の固定装置の説明は省略する。
図１は、本発明の一実施の形態を示す斜視図であり、梯子支柱の各々に本固定装置を取り付けた形態を示すものである。
図２は、図１の本固定装置の拡大図である。
図３は、図１のアイボルトの形態を示す斜視図であり、このアイボルトを取付け金具に係合しハンドルを回して引きつけ可能であることを示すものである。
図４は、図１のガイドの形態を示す斜視図である。
図５は、図１のハンドルの形態を示す斜視図である。
【０００９】
それらの図において、２は台板である。３はスパイクであり、上部に打設部３ａを有すると共にきり溝３ｂを有したものである。４はガイドであり、スパイク３が上下に可動可能に通れる孔４ａがあいている。この孔４ａの周縁４ｂはスパイク３のきり溝３ｂが食い込みやすいように刃状に薄く形成されている。５はアイボルトであり一方端にリング５ａを有し、このリング５ａの内側が刃状に薄く突出部５ｂを形成し、スパイク３のきり溝３ｂに食い込みやすくなっているものである。
この台板２に複数個のガイド４が、各々のガイド４の孔４ａをスパイク３が上下に可動可能かつ、適当な斜めに配置されるように位置をずらして取り付けている。
【００１０】
６は取付けボルトであり、７はナットであり、このボルト６とナット７で上記台板２を梯子支柱１２に取り付けている。８は取付け金具であり、アイボルト５が通る孔があいて雌ネジ状になったものである。９はハンドルであり、アイボルト５が通る孔をあけて雌ネジ９ｂがきれているものである。
この取付け金具８が、上記ガイド４のいずれかの近傍の台板２に取付けられ、アイボルト５を係合し更にハンドル９又は蝶ネジ１０又は、そのいずれとも取付け、このハンドル９又は蝶ネジ１０を回してアイボルト５を引きつけることを可能に配置したものである。このガイド４の孔４ａとアイボルト５のリング５ａにスパイク３が可動可能に配置している。
【００１１】
更に、台板２にはスライド溝２ａを２個所に設けている。このスライド溝２ａは、台板２が左右にスライド可能にして台板２の角度を調節することで、スパイク３の打設時にスパイク３の打設する角度を変更可能にするものであって、台板２が梯子支柱１２に取付けボルト６とナット７で取り付けている３個所のうち最下箇所を除き、その他の２個所にスライド溝２ａを設け、各々の取付けボルト６を適当に緩めて台板２をスライドさせて台板２の角度変更をした後、取付けボルト６を締め直して台板２を固定し、スパイク３が打設される角度を変更可能な構成にしているものである。
【００１２】
従って、最下個所の取付けボルト６を支点として、台板２がスライド溝２ａの長さ範囲で左右にスライド可能にしたものである。
又、スパイク３と梯子支柱１２にはバンド１１が取り外し可能に備えられて、本固定装置１本体を構成したものである。
【００１３】
尚、取付けボルト６には適宜な大径のワッシャーを介在するのが好ましい。
又、スライド溝２ａに窓枠を設けることは任意であり、スライド溝２ａの数は２個所に限定するものではなく適当数でよい。
更に、取付けボルトを蝶ネジに代えて締めつける構成にするもよい。
【００１４】
そして、本固定装置１を取り付けた梯子を樹木に立てかけて使用する場合は、バンド１１を外してスパイク３をハンマー等で打設部３ａを打設して梯子のバランスが保てる適当な深さまで打ち込み、しかる後、ハンドル９を回すとネジ回転してアイボルト５が引きつけられ、同時にリング５ａの突出部５ｂがスパイク３のきり溝３ｂに食い込み、その状態でスパイク３のきり溝３ｂがガイド４の孔４ａの周縁４ｂに食い込んでロックされる。
従って、地面に打ち込まれたスパイク３をガイド４の孔４ａの周縁とアイボルト５のリング５ａの突出部５ｂで、スパイク３のきり溝３ｂをロックされる構成にしたものである。
【００１５】
又、この固定装置１では、梯子支柱１２各々に取り付けられるので、地面が凹凸で梯子支柱１２下端の平行バランスがとれないような場合には、一方の本固定装置１のスパイク３を打設する長さを調整して梯子のバランスをとれるものであり、梯子を樹木に立てかけた下端と地面とを接点として、梯子を立てかけた角度より適当な斜めにスパイク３が地面に打設され、梯子下部の安定をより強固に補強し、このスパイク３を更に上記ロック手段でスパイク３をロックして梯子のバランスを保ち、更に、作業者の体重が梯子にかかってもずれ防止して固定させるものである。
【００１６】
そして、打設されロックされたスパイク３を引き抜いて、このスパイク３を係止しておくには、ハンドル９を逆回転させてアイボルト５の締めつけを緩めるとスパイク３がアイボルト５で押され、スパイク３のきり溝３ｂがガイド４の孔４ａの周縁４ｂから離れ更に、ハンドル９を回すとアイボルト５のリング５ａの突出部５ｂがスパイク３のきり溝３ｂから離れスパイク３は可動可能になる。しかる後に、スパイク３の打設部３ａをハンマー等で下から打設して引き抜き、バンド１１で打設部３ａと梯子支柱１２を係止すればよい。
このようにすれば、未使用時はスバイク３は可動せず又、梯子の移動時には、スパイク３を本固定装置１から抜いて持ち運ぶことも可能なものである。
【００１７】
次に、本固定装置に備えて共に用いるめりこみ防止板を説明する。
図６は、本発明のめりこみ防止板の一実施の形態を示す斜視図であり、上記、本固定装置を取り付けて使用する梯子にひもで取り付けた状態を示したものである。
１３はめりこみ防止板本体であり、基板１４とガイド１５と固定部材１６とで構成したものである。この基板１４はＣ状に空間部１４ａを有すると共に立板１４ｂを設け、この立板１４ｂはネジきりした孔をあけたものである。又、この基板１４の底に爪１４ｃを複数設けて基板１４を構成している。この立板１４ｂにガイド１５を取り付けている。このガイド１５はスパイク３をロック可能な凹部１５ａを有し上記、立板１４ｂのネジきりした孔と同等大の孔をあけて立板１４ｂに取り付けたものである。固定部材１６は、上記立板１４ｂのネジきりした孔とガイド１５の孔とにネジ棒１６ｂを通し、このネジ棒１６ｂ先端に湾曲体１６ａが回動自在に取り付けている。又、このネジ棒１６ｂには蝶ネジ１６ｃを取り付けたものである。
【００１８】
即ち、上記スパイク３を打設しロックした後に、このスパイク３に基板１４のＣ状の空間部１４ａを近づけ、湾曲体１６ａをスパイク３にあてがい、蝶ネジ１６ｃをしめていくと湾曲体１６ａがスパイク３を押圧してガイド１５の凹部１５ａとでロックする構成にしたものである。
従って、このめりこみ防止板１３により、地盤の上層部が比較的軟弱な可能性があっても上記スパイク３を地中に打設しロックし、このスパイク３を更にめりこみ防止板１３でロックして梯子の傾きや転倒を防止してバランスを保つ効果を奏するものである。
尚、めりこみ防止板１３は本固定装置１に、１個備えるもよく２個備えるもよい。
【００１９】
【発明の効果】
以上の如く本発明によれば、スパイクが伸縮自在だから平坦な地面のみならず凹凸な地面や傾斜している地面等でも、その地面の状況に合わせてスパイクの打設する長さを調整して梯子下端の固定ができる実用的なものとなり、スパイクを地面に打設した後にロック手段で固定するから、梯子下部をより強固に固定できるものである。
又、台板にスライド溝を設けてスパイクを打設する角度を調節して地面に略垂直や斜めに打設することが可能だから、強固に固定しうる梯子下部の固定装置である。
【００２０】
又、スパイクはバンドでとめておくもよく、分離するもよいので移動や未使用時にも都合がよい。
更に、めりこみ防止板は、打設されロックされたスパイクを更により強固に固定するものであり、地盤の上層部が比較的軟弱な可能性のある地盤でも、梯子のバランスを保ち傾きや転倒を防止可能なものである。
従って、山間地等での樹木の枝おとしや樹木を途中から切る中段切り作業に好適な梯子下部の固定装置となった。
【図面の簡単な説明】
【図１】本発明の一実施の形態を示す斜視図である。
【図２】図１の本固定装置の拡大図である。
【図３】図１のアイボルトの形態を示す斜視図である。
【図４】図１のガイドの形態を示す斜視図である。
【図５】図１のハンドルの形態を示す斜視図である。
【図６】本発明のめりこみ防止板の一実施の形態を示す斜視図である。
【符号の説明】
１‥‥‥‥‥‥‥固定装置
２‥‥‥‥‥‥‥台板
２ａ‥‥‥‥‥‥スイド溝
３‥‥‥‥‥‥‥スパイク
３ａ‥‥‥‥‥‥打設部
３ｂ‥‥‥‥‥‥きり溝
４‥‥‥‥‥‥‥ガイド
４ａ‥‥‥‥‥‥孔
４ｂ‥‥‥‥‥‥周縁
５‥‥‥‥‥‥‥アイボルト
５ａ‥‥‥‥‥‥リング
５ｂ‥‥‥‥‥‥突出部
６‥‥‥‥‥‥‥取付けボルト
７‥‥‥‥‥‥‥ナット
８‥‥‥‥‥‥‥取付け金具
９‥‥‥‥‥‥‥ハンドル
９ａ‥‥‥‥‥‥雌ネジ
１０‥‥‥‥‥‥‥蝶ネジ
１１‥‥‥‥‥‥‥バンド
１２‥‥‥‥‥‥‥梯子支柱
１３‥‥‥‥‥‥‥めりこみ防止板本体
１４‥‥‥‥‥‥‥基板
１４ａ‥‥‥‥‥‥空間部
１４ｂ‥‥‥‥‥‥立板
１４ｃ‥‥‥‥‥‥爪
１５‥‥‥‥‥‥‥ガイド
１５ａ‥‥‥‥‥‥凹部
１６‥‥‥‥‥‥‥固定部材
１６ａ‥‥‥‥‥‥湾曲体
１６ｂ‥‥‥‥‥‥ネジ棒
１６ｃ‥‥‥‥‥‥蝶ネジ
１７‥‥‥‥‥‥‥ひも
【図１】
0003882065.tif 000002
【図２】
0003882065.tif 000003
【図３】
0003882065.tif 000004
【図４】
0003882065.tif 000005
【図５】
0003882065.tif 000006
【図６】
0003882065.tif 000007